Podtech/llm-jp-corpus-v4-ja_patent huggingface dataset:
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
紙文書の紙指紋を表すデータを獲得するデータ獲得手段と、
前記獲得した前記紙文書の紙指紋を表すデータから、紙指紋の採取可能な領域内に、あらかじめ定められた面積の紙指紋採取パターンに相当するエリアの存在の有無を判定し、有と判定した場合に、前記あらかじめ定められた面積の紙指紋採取パターンの数を算出する紙指紋採取領域算出手段と、
前記紙指紋採取領域算出手段で算出した紙指紋採取パターンの領域数から前記データ獲得手段でデータを獲得した紙文書の紙指紋強度を算出し、算出した紙指紋強度を出力する紙指紋領域判定手段と、
前記紙指紋領域判定手段によって出力された紙指紋強度をユーザに通知する紙指紋強度通知手段と
を備えることを特徴とする画像処理装置。
【請求項２】
前記データ獲得手段は、紙文書をスキャンして得た画像データを獲得することを特徴とする請求項１に記載の画像処理装置。
【請求項３】
前記データ獲得手段は、外部の装置からの通信回線を通して入力した画像データを獲得することを特徴とする請求項１に記載の画像処理装置。
【請求項４】
前記あらかじめ定められた面積の紙指紋採取パターンは、大きさおよび形状のうちの少なくとも１つが異なる複数種類のパターンを備え、
前記紙指紋採取領域算出手段は、前記紙指紋の採取可能な領域の全体に渡って前記複数種類の紙指紋採取領域パターンのうちの１つを選んで割り付ける処理を繰り返して、割り付けられたそれぞれの紙指紋採取パターンの位置および／または種類を算出し、
前記紙指紋領域判定手段は、さらに、前記紙指紋採取領域算出手段で算出したそれぞれの紙指紋採取パターンの領域の位置および／または種類に基づいて、前記データ獲得手段でデータを獲得した紙文書の紙指紋強度を算出する
ことを特徴とする請求項１乃至３のいずれかに記載の画像処理装置。
【請求項５】
前記紙指紋強度通知手段は、前記紙指紋領域判定手段から出力された紙指紋強度があらかじめ設定された閾値に達しない場合にのみ、当該紙指紋強度または警告情報をユーザに通知することを特徴とする請求項１乃至４のいずれかに記載の画像処理装置。
【請求項６】
紙文書の原本性を、紙文書の紙指紋に基づいて保証する装置における画像処理方法であって、
紙文書の紙指紋を表すデータを獲得し、
前記獲得した前記紙文書の紙指紋を表すデータから、紙指紋の採取可能な領域内に、あらかじめ定められた面積の紙指紋採取パターンに相当するエリアの存在の有無を判定し、有と判定した場合に、前記あらかじめ定められた面積の紙指紋採取パターンの領域の存在数を算出し、
前記算出した紙指紋採取パターンの領域数から、前記データを獲得した紙文書の紙指紋強度を算出し、算出した紙指紋強度を出力し、
前記出力された紙指紋強度を、ユーザ・インターフェースを介してユーザに報知する
ことを特徴とする画像処理方法。
【手続補正２】
【補正対象書類名】明細書
【補正対象項目名】発明の名称
【補正方法】変更
【補正の内容】
【発明の名称】画像処理装置、及び画像処理方法
【手続補正３】
【補正対象書類名】明細書
【補正対象項目名】００１２
【補正方法】変更
【補正の内容】
【００１２】
本発明は、このような目的を達成するために、請求項１に記載の発明は、画像処理装置であって、紙文書の紙指紋を表すデータを獲得するデータ獲得手段と、前記獲得した前記紙文書の紙指紋を表すデータから、紙指紋の採取可能な領域内に、あらかじめ定められた面積の紙指紋採取パターンに相当するエリアの存在の有無を判定し、有と判定した場合に、前記あらかじめ定められた面積の紙指紋採取パターンの数を算出する紙指紋採取領域算出手段と、前記紙指紋採取領域算出手段で算出した紙指紋採取パターンの領域数から前記データ獲得手段でデータを獲得した紙文書の紙指紋強度を算出し、算出した紙指紋強度を出力する紙指紋領域判定手段と、前記紙指紋領域判定手段によって出力された紙指紋強度をユーザに通知する紙指紋強度通知手段とを備えることを特徴とするものである。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
また、請求項５に記載の発明は、請求項１乃至４のいずれかに記載の画像処理装置であって、前記紙指紋強度通知手段は、前記紙指紋領域判定手段から出力された紙指紋強度があらかじめ設定された閾値に達しない場合にのみ、当該紙指紋強度または警告情報をユーザに通知することを特徴とするものである。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】変更
【補正の内容】
【００２１】
請求項６に記載の発明は、紙文書の原本性を、紙文書の紙指紋に基づいて保証装置における画像処理方法であって、前記紙文書の紙指紋を表すデータを獲得し、前記獲得した前記紙文書の紙指紋を表すデータから、紙指紋の採取可能な領域内に、あらかじめ定められた面積の紙指紋採取パターンに相当するエリアの存在の有無を判定し、有と判定した場合に、前記あらかじめ定められた面積の紙指紋採取パターンの領域の存在数を算出し、前記算出した紙指紋採取パターンの領域数から、前記データを獲得した紙文書の紙指紋強度を算出し、算出した紙指紋強度を出力し、前記出力された紙指紋強度を、ユーザ・インターフェースを介してユーザに報知することを特徴とする。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
紙指紋を読み取る紙指紋情報取得手段と、前記紙指紋情報取得手段によって取得された紙の固定領域の紙指紋情報を読み出し、他の紙指紋情報と照合を行う紙指紋情報照合手段とを備えた、紙をスキャンしてその繊維の特徴を元に紙を特定する画像処理装置であって、
前記紙指紋情報取得手段は、取得する紙指紋領域内に、画像領域が一部含まれている箇所を検出する画像領域検出手段を含む
ことを特徴とする画像処理装置。
【請求項２】
前記紙指紋情報取得手段は、取得する紙指紋領域に対応する画像情報を取得して紙指紋情報に加え、
前記紙指紋情報照合手段は、紙指紋情報照合時に、取得した前記画像情報に対しても照合処理を行う
ことを特徴とする請求項１に記載の画像処理装置。
【請求項３】
紙をスキャンしてその繊維の特徴を元に紙を特定する画像処理方法であって、
紙指紋情報取得手段によって紙指紋を読み取る紙指紋情報取得ステップと、
前記紙指紋情報取得ステップにおいて取得された紙の紙指紋情報を紙指紋情報照合手段によって読み出し、他の紙指紋情報と照合を行う紙指紋情報照合ステップとを備え、
前記紙指紋情報取得ステップは、取得する紙指紋領域内に、画像領域が一部含まれている箇所を画像領域検出手段によって検出する画像領域検出ステップを含む
ことを特徴とする画像処理方法。
【請求項４】
前記紙指紋情報取得ステップにおいて、取得する紙指紋領域に対応する画像情報を取得して紙指紋情報に加え、
前記紙指紋情報照合ステップにおいて、紙指紋情報照合時に、取得した前記画像情報に対しても照合処理を行う
ことを特徴とする請求項３に記載の画像処理方法。
【請求項５】
紙指紋を読み取る紙指紋情報取得手段と、
前記紙指紋情報取得手段により紙指紋情報を取得する領域を判定する領域判定手段と、
前記領域判定手段により判定された領域の紙指紋を紙に対する紙指紋として登録する紙指紋登録手段と
を備えたことを特徴とする画像処理装置。
【請求項６】
前記領域判定手段は、前記紙指紋情報取得手段により取得した紙指紋情報における白画像領域と黒画像領域の割合により紙指紋領域を判定する
ことを特徴とする請求項５記載の画像処理装置。
【請求項７】
前記紙指紋情報取得手段で取得する紙指紋領域の大きさを変更するための紙指紋領域変更手段
をさらに備えたことを特徴とする請求項５に記載の画像処理装置。
【請求項８】
ブロックセレクションにより紙指紋の候補領域を検出する紙指紋領域候補検出手段をさらに備え、
前記紙指紋領域候補検出手段により検出した領域に対して前記紙指紋情報取得手段を用いる
ことを特徴とする請求項５に記載の画像処理装置。
【請求項９】
前記紙指紋情報取得手段はさらに、印字が行われる前の印刷データから紙指紋情報を取得する紙指紋取得前処理手段を含む
ことを特徴とする請求項５に記載の画像処理装置。
【請求項１０】
前記紙指紋情報取得手段はさらに、取得した領域を紙指紋領域として決定する際に、紙指紋を読み取る紙と取得した紙指紋領域とを関連づけて記憶するための記憶手段を含む
ことを特徴とする請求項５に記載の画像処理装置。
【請求項１１】
前記領域判定手段により、紙指紋領域を取得する領域を判定できない場合は、紙の両面において前記領域判定手段を用いることを特徴とする請求項５乃至９のいずれかに記載の画像処理装置。
【請求項１２】
紙指紋情報取得手段によって紙指紋を読み取る紙指紋情報取得ステップと、
前記紙指紋情報取得ステップにおいて紙指紋情報を取得する領域を領域判定手段によって判定する領域判定ステップと、
前記領域判定ステップにおいて判定された領域の紙指紋を紙指紋登録手段によって紙に対する紙指紋として登録する紙指紋登録ステップと
を備えたことを特徴とする画像処理装置の画像処理方法。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
複数の色成分に対応する現像剤をそれぞれ収容する現像剤収容部と、処理対象画像に応じた潜像を担持する像担持手段と、前記現像剤収容部内の各現像剤により前記潜像を現像して得られた現像画像を記録材へ転写して画像形成を行う転写手段とを利用して画像形成を行う画像形成装置であって、
前記処理対象画像につき、注目画素を中心とする参照領域を設定する領域設定手段と、
前記参照領域中に、参照対象から除外すべき画素が存在するか否かを判定する判定手段と、
前記参照対象から除外すべき画素が存在する場合に、該画素に基づいて前記参照領域を変形する変形手段と、
前記変形された参照領域に含まれる前記注目画素の周辺画素のうち、前記注目画素に含まれない色成分を有する第１の周辺画素に基づいて、前記注目画素についてのトラップカラーを決定する決定手段と、
該トラップカラーの濃度を、前記周辺画素に基づいて算出する濃度算出手段と、
前記処理対象画像において、算出された前記濃度を有する前記トラップカラーを用いて前記注目画素の画素値を補正する補正手段と
を備え、前記像担持手段は、前記補正手段により注目画素が補正された処理対象画像に応じた潜像を担持することを特徴とする画像形成装置。
【請求項２】
前記参照対象から除外すべき画素は、白色、または、予め定められた値よりも低い濃度を有する画素であることを特徴とする請求項１に記載の画像形成装置。
【請求項３】
前記決定手段は、前記注目画素に含まれない色成分が複数ある場合に、優先順位を付けて、前記トラップカラーを決定することを特徴とする請求項１または２に記載の画像形成装置。
【請求項４】
前記濃度算出手段は、
前記注目画素に含まれない色成分を有する周辺画素と、該注目画素との距離に応じて、異なる濃度を算出する第１の算出手段と、
該周辺画素と、該注目画素との距離にかかわらず、同一の濃度を算出する第２の算出手段と
を備えることを特徴とする請求項１乃至３のいずれか１項に記載の画像形成装置。
【請求項５】
前記濃度算出手段は、
前記補正手段による補正により階調表現を行う場合に、前記第１の算出手段により前記濃度を算出し、
前記補正手段による補正により階調表現を行わない場合に、前記第２の算出手段により前記濃度を算出する、
ことを特徴とする請求項４に記載の画像形成装置。
【請求項６】
前記第１の算出手段は、前記第１の周辺画素の濃度の合計と、前記参照領域内に含まれる画素数とに基づいて前記濃度を算出し、
前記第２の算出手段は、前記第１の周辺画素の濃度の合計と、該合計した該第１の周辺画素の画素数とに基づいて前記濃度を算出する、
ことを特徴とする請求項４又は５に記載の画像形成装置。
【請求項７】
前記領域設定手段は、前記注目画素が前記処理対象画像中の文字又は細線の一部を形成しない画素の場合に、前記注目画素を中心とした第１の画素数を有する第１領域の領域内に含まれる画素のうち、該文字又は細線の一部を形成する第１の画素と、前記注目画素とを比較し、前記第１の画素が前記注目画素よりも明るい画素値を有する場合に、前記参照領域を前記第１の画素数よりも少ない第２の画素数を有する領域として設定することを特徴とする請求項１乃至６のいずれか１項に記載の画像形成装置。
【請求項８】
前記領域設定手段は、前記注目画素が前記処理対象画像中の文字又は細線の一部を形成する画素の場合に、前記注目画素を中心とした第１の画素数を有する第１領域の領域内に含まれる画素のうち、該文字又は細線の一部を形成しない第２の画素と、前記注目画素とを比較し、前記第２の画素が前記注目画素よりも明るい画素値を有する場合に、前記参照領域を前記第１の画素数よりも少ない第２の画素数を有する領域として設定することを特徴とする請求項１乃至６のいずれか１項に記載の画像形成装置。
【請求項９】
複数の色成分に対応する現像剤をそれぞれ収容する現像剤収容部と、処理対象画像に応じた潜像を担持する像担持手段と、前記現像剤収容部内の各現像剤により前記潜像を現像して得られた現像画像を記録材へ転写して画像形成を行う転写手段とを利用して画像形成を行う画像形成装置の制御方法であって、
領域設定手段が、前記処理対象画像につき、注目画素を中心とする参照領域を設定する領域設定工程と、
判定手段が、前記参照領域中に、参照対象から除外すべき画素が存在するか否かを判定する判定工程と、
変形手段が、前記参照対象から除外すべき画素が存在する場合に、該画素に基づいて前記参照領域を変形する変形工程と、
決定手段が、前記変形された参照領域に含まれる前記注目画素の周辺画素のうち、前記注目画素に含まれない色成分を有する第１の周辺画素に基づいて、前記注目画素についてのトラップカラーを決定する決定工程と、
濃度算出手段が、該トラップカラーの濃度を、前記周辺画素に基づいて算出する濃度算出工程と、
補正手段が、前記処理対象画像において、算出された前記濃度を有する前記トラップカラーを用いて前記注目画素の画素値を補正する補正工程と
を備え、前記像担持手段は、前記補正工程において注目画素が補正された処理対象画像に応じた潜像を担持することを特徴とする画像形成装置の制御方法。
【手続補正２】
【補正対象書類名】明細書
【補正対象項目名】発明の名称
【補正方法】変更
【補正の内容】
【発明の名称】画像形成装置及びその制御方法
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
シートの第１面の画像を読み取る第１画像読取部と、シートの第２面の画像を読み取る第２画像読取部と、を備えた画像読取装置において、
前記第１画像読取部及び前記第２画像読取部の画像読取位置にそれぞれ配置され、シートが通過する透明な読取板と、
前記読取板にゴミが付着していることを検知する検知手段と、
前記第１画像読取部及び前記第２画像読取部の読み取り動作を制御する制御手段と、を備え、
前記制御手段は前記検知手段により前記読取板にゴミが付着していることが検知されたとき、前記第１画像読取部及び前記第２画像読取部のうち前記読取板にゴミが付着していない画像読取部によりシートの画像を読み取るように制御することを特徴とする画像読取装置。
【請求項２】
前記第１画像読取部及び前記第２画像読取部を通過した原稿を反転させて再度、前記第１画像読取部及び前記第２画像読取部に導く反転手段を備え、
前記制御手段は、シートの第１面及び第２面の画像を読み取る際、前記検知手段によりゴミの付着が検知されたとき、前記読取板にゴミが付着していない画像読取部によりシートの第１面及び第２面の一方の面の画像を読み取った後、前記反転手段によりシートを反転させて前記ゴミが付着していない画像読取部によりシートの第１面及び第２面の他方の面の画像を読み取るように制御することを特徴とする請求項１記載の画像読取装置。
【請求項３】
前記制御手段は、シートの第１面及び第２面の一方の面の画像を読み取る際、前記検知手段により、一方の面の画像を読み取る前記画像読取部の前記読取板にゴミが付着していることが検知されたとき、前記反転手段によりシートを反転させてシートの第１面及び第２面の他方の面の画像を読み取る前記読取板にゴミが付着していない画像読取部によりシートの一方の面の画像を読み取るように制御することを特徴とする請求項２記載の画像読取装置。
【請求項４】
前記検知手段は、前記第１画像読取部及び前記第２画像読取部により読み取った画像データに基づき前記読取板にゴミが付着していることを検知することを特徴とする請求項１ないし３のいずれか１項に記載の画像読取装置。
【請求項５】
前記読取板にゴミが付着したことの警告を発する警告手段を備え、
前記制御手段は、複数枚のシートを連続して読み取る際、前記検知手段が連続して前記読取板にゴミが付着していることを検知したときに警告を発するよう前記警告手段を制御することを特徴とする請求項１ないし４のいずれか１項に記載の画像読取装置。
【手続補正２】
【補正対象書類名】明細書
【補正対象項目名】００１１
【補正方法】変更
【補正の内容】
【００１１】
本発明は、シートの第１面の画像を読み取る第１画像読取部と、シートの第２面の画像を読み取る第２画像読取部と、を備えた画像読取装置において、前記第１画像読取部及び前記第２画像読取部の画像読取位置にそれぞれ配置され、シートが通過する透明な読取板と、前記読取板にゴミが付着していることを検知する検知手段と、前記第１画像読取部及び前記第２画像読取部の読み取り動作を制御する制御手段と、を備え、前記制御手段は前記検知手段により前記読取板にゴミが付着していることが検知されたとき、前記第１画像読取部及び前記第２画像読取部のうち前記読取板にゴミが付着していない画像読取部によりシートの画像を読み取るように制御することを特徴とするものである。
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
画像信号に応じて変調された光を供給する光学エンジン部と、
投写レンズと、反射により前記投写レンズからの光を折り返す第１ミラーと、反射により前記第１ミラーからの光を広角化させる第２ミラーと、を備え、前記光学エンジン部からの光を投写する投写光学系と、
前記光学エンジン部及び前記投写光学系を収納可能な筐体とを有し、
前記投写レンズ及び前記第２ミラーは、前記投写レンズの光軸と前記第２ミラーの光軸とが略一致するように配置され、かつ前記光学エンジン部からの光を前記投写レンズの光軸から特定の側へシフトさせて進行させ、
前記第２ミラーからの光を、前記筐体外の被照射面へ投写することで画像を表示することを特徴とする画像表示装置。
【請求項２】
前記投写レンズの光軸及び前記第２ミラーの光軸が、前記被照射面の法線と略平行であることを特徴とする請求項１に記載の画像表示装置。
【請求項３】
前記第１ミラー及び前記第２ミラーは、前記第１ミラーの入射面と、前記第２ミラーのうち前記第１ミラーからの光が入射する部分とが略平行であることを特徴とする請求項１又は２に記載の画像表示装置。
【請求項４】
前記投写レンズから前記第１ミラーへ進行する光、及び前記第２ミラーで反射した光のいずれも、背面部に沿う方向へ進行することを特徴とする請求項１〜３のいずれか一項に記載の画像表示装置。
【請求項５】
前記投写光学系は、前記第１ミラーにおいて略９０度折り曲げられた前記投写レンズからの光を前記第２ミラーへ入射するように構成されることを特徴とする請求項１〜４のいずれか一項に記載の画像表示装置。
【請求項６】
前記投写光学系は、前記投写レンズ、前記第１ミラー及び前記第２ミラーを一体として構成されることを特徴とする請求項１〜５のいずれか一項に記載の画像表示装置。
【請求項７】
前記光学エンジン部は、光を画像信号に応じて変調する空間光変調装置を有し、
前記空間光変調装置は、前記光軸から特定の側へシフトさせて進行する光が入射する位置に設けられることを特徴とする請求項１〜６のいずれか一項に記載の画像表示装置。
【請求項８】
前記投写レンズは、前群レンズのうちの少なくとも１つが、その一部を取り除いたような形状をなすことを特徴とする請求項１〜７のいずれか一項に記載の画像表示装置。
【手続補正書】
【提出日】平成21年11月19日(2009.11.19)
【手続補正１】
【補正対象書類名】明細書
【補正対象項目名】０００７
【補正方法】変更
【補正の内容】
【０００７】
前記課題を解決するために、第１の本発明に係る反射防止膜は、光学部材の光学面に形成されてこの光学面に入射して反射する光線を低減させるものであり、複数の層を重ね合わせて構成され、前記複数の層のうち、最上層がゾル−ゲル法を用いて形成された層であり、この光学面に入射する波長域が４００ｎｍ以上７００ｎｍ以下の光線に対して、その光線の入射角が０度以上２５度以下のときは反射率が０．５％以下であり、且つ、その光線の入射角が２５度より大きく６０度以下のときは反射率が３．５％以下であるように構成される。
【手続補正２】
【補正対象書類名】明細書
【補正対象項目名】０００８
【補正方法】変更
【補正の内容】
【０００８】
この場合、ゾル−ゲル法を用いて形成された層は、フッ化マグネシウムで構成されていることが好ましい。
【手続補正３】
【補正対象書類名】明細書
【補正対象項目名】０００９
【補正方法】変更
【補正の内容】
【０００９】
このとき、光学面上に形成される第１層は酸化アルミニウムを真空蒸着法で形成し、第１層上に形成される第２層は酸化チタンと酸化ジルコニウムの混合物を真空蒸着法で形成し、第２層上に形成される第３層は酸化アルミニウムを真空蒸着法で形成し、第３層上に形成される第４層はフッ化マグネシウムをゾル−ゲル法で形成されることが好ましい。
【手続補正４】
【補正対象書類名】明細書
【補正対象項目名】００１０
【補正方法】変更
【補正の内容】
【００１０】
さらに、ほぼ１．５２の屈折率を有する光学部材の光学面に形成される反射防止膜であって、光線の基準波長λを５５０ｎｍとするとき、その光学面上に形成される屈折率がほぼ１．６５で且つ光学的膜厚がほぼ０．２７λの第１層と、この第１層上に形成され、屈折率がほぼ２．１２で且つ光学的膜厚がほぼ０．０７λの第２層と、この第２層上に形成され、屈折率がほぼ１．６５で且つ光学的膜厚がほぼ０．３０λの第３層と、この第３層上に形成され、屈折率がほぼ１．２５で且つ光学的膜厚がほぼ０．２６λの第４層とから構成されることが好ましい。
【手続補正５】
【補正対象書類名】特許請求の範囲
【補正対象項目名】全文
【補正方法】変更
【補正の内容】
【特許請求の範囲】
【請求項１】
光学部材の光学面に形成されて前記光学面に入射して反射した光線を低減させる反射防止膜であって、
前記反射防止膜は、複数の層を重ね合わせて構成され、前記複数の層のうち、最上層がゾル−ゲル法を用いて形成された層であり、
前記光学面に入射する波長域が４００ｎｍ以上７００ｎｍ以下の前記光線に対して、
前記光線の入射角が０度以上２５度以下のときは反射率が０．５％以下であり、且つ、
前記光線の入射角が２５度より大きく６０度以下のときは反射率が３．５％以下であることを特徴とする反射防止膜。
【請求項２】
前記ゾル−ゲル法を用いて形成された層は、フッ化マグネシウムで構成されていることを特徴とする請求項１に記載の反射防止膜。
【請求項３】
前記複数の層は、酸化チタンと酸化ジルコニウムの混合物で構成される層を含むことを特徴とする請求項１または２に記載の反射防止膜。
【請求項４】
前記複数の層は、酸化アルミニウムで構成される層を含むことを特徴とする請求項１〜３のいずれか１項に記載の反射防止膜。
【請求項５】
前記光学面上に形成される第１層は酸化アルミニウムを真空蒸着法で形成し、前記第１層上に形成される第２層は酸化チタンと酸化ジルコニウムの混合物を真空蒸着法で形成し、前記第２層上に形成される第３層は酸化アルミニウムを真空蒸着法で形成し、前記第３層上に形成される第４層はフッ化マグネシウムをゾル−ゲル法で形成したことを特徴とする請求項１〜４のいずれか１項に記載の反射防止膜。
【請求項６】
１．５２の屈折率を有する前記光学部材の前記光学面に形成される反射防止膜であって、
前記光線の基準波長λを５５０ｎｍとするとき、
前記光学面上に形成される屈折率が１．６５で且つ光学的膜厚が０．２７λの第１層と、
前記第１層上に形成され、屈折率が２．１２で且つ光学的膜厚が０．０７λの第２層と、
前記第２層上に形成され、屈折率が１．６５で且つ光学的膜厚が０．３０λの第３層と、
前記第３層上に形成され、屈折率が１．２５で且つ光学的膜厚が０．２６λの第４層とから構成されることを特徴とする請求項１〜５のいずれか１項に記載の反射防止膜。
【請求項７】
前記光学面が平面状若しくは曲面状に形成された前記光学部材と、前記光学面に形成された請求項１〜６のいずれか１項に記載の反射防止膜とから構成されることを特徴とする光学素子。
【請求項８】
物体と像面との間に配設された光学素子から構成され、
前記光学素子が有する光学面のうち、少なくとも１面に請求項１〜６のいずれか１項に記載の反射防止膜が形成されていることを特徴とする光学系。
【請求項９】
複数の光学面を有して構成され、
前記光学面のうち、ｎ番目のゴースト発生面とｍ番目のゴースト発生面の少なくとも一方に請求項１〜６のいずれか１項に記載の反射防止膜が形成され、
前記ｎ番目のゴースト発生面での反射率をＲnとし、前記ｍ番目のゴースト発生面での反射率をＲmとしたとき、次式
Ｒn  ×  Ｒm  ≦  ０．１０［％］
を満足することを特徴とする光学系。
【請求項１０】
波長域が４００ｎｍ以上７００ｎｍ以下の光線に対して使用されることを特徴とする請求項８または９に記載の光学系。
【請求項１１】
結像光学系として用いられることを特徴とする請求項８〜１０のいずれか１項に記載の光学系。
【請求項１２】
観察光学系として用いられることを特徴とする請求項８〜１０のいずれか１項に記載の光学系。
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
複数の表示画素からなる表示部を備えた表示パネルと、
前記複数の表示画素を駆動する駆動手段と、
前記表示パネルに制御信号を供給するとともに、接続手段によって前記表示パネルに取り付けられた駆動信号源と、を備え、
前記接続手段は、前記液晶表示パネルに電気的に接続された第１接続領域と、
前記駆動信号源に電気的に接続された第２接続領域と、
前記第１接続領域に配置された第１ピンと、前記第２接続領域に配置された第２ピンと、前記第１ピンと前記第２ピンとを接続するとともに前記駆動信号源から前記表示パネルの制御信号が供給される接続配線と、
前記第１接続領域に配置された第３ピンと、前記第２接続領域に配置された第４ピンと、前記第３ピンと前記第４ピンとを接続するダミー配線と、を備えている表示装置。
【請求項２】
前記ダミー配線は、前記第３ピンおよび前記第４ピンを介して、前記表示パネルおよび前記駆動信号源のアース電極あるいはフロート電極に電気的に接続される請求項１記載の表示装置。
【請求項３】
複数の表示画素からなる表示部を備えた表示パネルと、
前記複数の表示画素を駆動する駆動手段と、
前記表示パネルに制御信号を供給するとともに、接続手段によって前記表示パネルに取り付けられた駆動信号源と、を備え、
前記接続手段は、前記表示パネルに電気的に接続された第１接続領域と、
前記駆動信号源に電気的に接続された第２接続領域と、
前記第１接続領域に配置された第１ピンと、前記第２接続領域に配置された第２ピンと、前記第１ピンと前記第２ピンとを接続するとともに前記駆動信号源から前記表示パネルの制御信号が供給される接続配線と、を備え、
前記第１ピンは前記第１接続領域において所定の間隔をおいて配置され、前記間隔に第３ピンが配置され、
前記第２ピンは前記第２接続領域において所定の間隔をおいて配置され、前記間隔に第４ピンが配置されている表示装置。
【請求項４】
前記接続手段は、前記第１接続領域に配置された第３ピンと前記第２領域に配置された第４ピンとを接続するダミー配線をさらに備え、
前記ダミー配線には、前記第３ピンおよび前記第４ピンを介して、前記表示パネルおよび前記駆動信号源のアース電極あるいはフロート電極に接続されている請求項３記載の表示装置。
【請求項５】
前記駆動手段は、前記複数の表示画素を行単位で駆動する第１駆動手段と、前記第１駆動手段によって選択された表示画素に映像信号を供給する第２駆動手段と、を備え、
前記第１駆動手段は、前記接続手段に配置されている請求項１乃至請求項４のいずれか１項記載の表示装置。
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
入室に際して入室者がかざす非接触式認証媒体の認証媒体識別情報を読み取るリーダと、
前記入室に際して前記入室者の生体情報を読取る生体認証装置と、
前記リーダおよび前記生体認証装置に接続され、前記リーダで読み取った認証媒体識別情報と前記生体認証装置で読み取った生体情報とのうち少なくとも一方に基づいて入室の可否の認証を行い、セキュリティの解除または非解除の制御を行うセキュリティ制御装置とを備えるセキュリティシステムであって、
前記リーダと前記生体認証装置とのうち前記生体認証装置のみで認証を行った場合にセキュリティが解除される第１のエリアが、前記リーダと前記生体認証装置との両方で認証を行った場合にセキュリティが解除される第２のエリアよりも狭いことを特徴とするセキュリティシステム。
【請求項２】
入室者のランクを示す情報が記憶されたデータベースを備え、
前記セキュリティ制御装置は、前記ランクに応じて、前記リーダと前記生体認証装置とのうち前記生体認証装置のみで認証を行うか、前記リーダと前記生体認証装置との両方で認証を行うかを区別することを特徴とする請求項１に記載のセキュリティシステム。
【請求項３】
前記第１のエリアのセキュリティの解除は、建物の特定階のみへのエレベータでの入階の許可であり、前記第２のエリアのセキュリティの解除は、建物の全階へのエレベータでの入階の許可であり、
前記セキュリティ制御装置は、前記エレベータでの入階を許可する階への行き先階ボタンを操作可能にすることを特徴とする請求項１または請求項２に記載のセキュリティシステム。
【請求項４】
前記セキュリティ制御装置は、前記入室者が建物の居住者の場合には、前記リーダと前記生体認証装置とのうち前記生体認証装置のみで認証を行い、前記入室者が建物のオーナーの場合には、前記リーダと前記生体認証装置との両方で認証を行うことを特徴とする請求項１から３の何れかに記載のセキュリティシステム。
【請求項５】
入室に際して入室者がかざす非接触式認証媒体の認証媒体識別情報を読み取るリーダと、
前記入室に際して前記入室者の生体情報を読取る生体認証装置と、
前記リーダおよび前記生体認証装置に接続され、前記リーダで読み取った認証媒体識別情報と前記生体認証装置で読み取った生体情報とのうち少なくとも一方に基づいて入室の可否の認証を行い、セキュリティの解除または非解除の制御を行うセキュリティ制御装置とを備えるセキュリティシステムのプログラムであって、
コンピュータに、
前記リーダと前記生体認証装置とのうち前記生体認証装置のみで認証を行う第１手順、および
前記リーダと前記生体認証装置との両方で認証を行う第２手順を実行させ、
前記第１手順での認証可の場合にセキュリティが解除される第１のエリアが、前記第２手順での認証可の場合にセキュリティが解除される第２のエリアよりも狭く設定されるように機能させるためのセキュリティシステムのプログラム。
【請求項６】
前記セキュリティシステムは、入室者のランクを示す情報が記憶されたデータベースを備え、
前記コンピュータに、
前記ランクに応じて、前記リーダと前記生体認証装置とのうち前記生体認証装置のみで認証を行う前記第１手順か、前記リーダと前記生体認証装置との両方で認証を行う前記第２手順かを、区別する第３手順を実行させるように機能させるための請求項５に記載のセキュリティシステムのプログラム。
【請求項７】
前記第１手順における前記第１のエリアのセキュリティの解除は、建物の特定階のみへのエレベータでの入階の許可であり、前記第２手順における前記第２のエリアのセキュリティの解除は、建物の全階へのエレベータでの入階の許可であり、
前記コンピュータに、
前記エレベータでの入階を許可する階への行き先階ボタンを操作可能にする第４手順を実行させるように機能させるための請求項５または請求項６に記載のセキュリティシステムのプログラム。
【請求項８】
前記入室者が建物の居住者の場合には、前記リーダと前記生体認証装置とのうち前記生体認証装置のみで認証を行う前記第１手順を行い、前記入室者が建物のオーナーの場合には、前記リーダと前記生体認証装置との両方で認証を行う前記第２手順を行うように機能させるための請求項５から７の何れかに記載のセキュリティシステムのプログラム。
【手続補正２】
【補正対象書類名】明細書
【補正対象項目名】０００５
【補正方法】変更
【補正の内容】
【０００５】
上記目的を達成すべく、第１の本発明に関わるセキュリティシステムは、入室に際して入室者がかざす非接触式認証媒体の認証媒体識別情報を読み取るリーダと、前記入室に際して前記入室者の生体情報を読取る生体認証装置と、前記リーダおよび前記生体認証装置に接続され、前記リーダで読み取った認証媒体識別情報と前記生体認証装置で読み取った生体情報とのうち少なくとも一方に基づいて入室の可否の認証を行い、セキュリティの解除または非解除の制御を行うセキュリティ制御装置とを備えるセキュリティシステムであって、前記リーダと前記生体認証装置とのうち前記生体認証装置のみで認証を行った場合にセキュリティが解除される第１のエリアが、前記リーダと前記生体認証装置との両方で認証を行った場合にセキュリティが解除される第２のエリアよりも狭いことを特徴としている。
【手続補正３】
【補正対象書類名】明細書
【補正対象項目名】０００６
【補正方法】変更
【補正の内容】
【０００６】
第２の本発明に関わるセキュリティシステムのプログラムは、入室に際して入室者がかざす非接触式認証媒体の認証媒体識別情報を読み取るリーダと、前記入室に際して前記入室者の生体情報を読取る生体認証装置と、前記リーダおよび前記生体認証装置に接続され、前記リーダで読み取った認証媒体識別情報と前記生体認証装置で読み取った生体情報とのうち少なくとも一方に基づいて入室の可否の認証を行い、セキュリティの解除または非解除の制御を行うセキュリティ制御装置とを備えるセキュリティシステムのプログラムであって、コンピュータに、前記リーダと前記生体認証装置とのうち前記生体認証装置のみで認証を行う第１手順、および前記リーダと前記生体認証装置との両方で認証を行う第２手順を実行させ、前記第１手順での認証可の場合にセキュリティが解除される第１のエリアが、前記第２手順での認証可の場合にセキュリティが解除される第２のエリアよりも狭く設定されている。
【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
ユーザの脳波信号を計測する脳波計測部と、複数の機器とを有する脳波インタフェースシステムにおいて、前記複数の機器の少なくとも１つを起動するための起動装置であって、
前記複数の機器の各々は、機器の機能を制御する機能制御部と、前記ユーザに視覚刺激を提示する刺激提示部と
を有し、
前記起動装置は、
前記視覚刺激の提示および消滅を繰り返すように、前記機器の刺激提示部を制御し、かつ、前記視覚刺激が提示されたタイミングを示す判定トリガを出力する点滅タイミング制御部と、
前記判定トリガの出力タイミングおよび前記判定トリガが出力されたときに前記視覚刺激を提示していた機器を特定する判定トリガ情報を保持する記録媒体と、
前記脳波計測部から取得した前記脳波信号のうち前記判定トリガの受信タイミングを起点とした事象関連電位のＰ２００成分の値と所定の閾値とを比較する起動判定部であって、比較結果に応じて、前記判定トリガの受信タイミングおよび前記判定トリガ情報に基づいて前記視覚刺激を提示していた機器を特定し、特定された機器の機能制御部に対して、前記特定された機器を起動させる起動トリガを出力する起動判定部と、
を備えており、
前記点滅タイミング制御部は、前記複数の機器において、所定以上の時間間隔で前記視覚刺激を提示するように前記機器の刺激提示部を制御する、
起動装置。
【請求項２】
前記起動判定部は、前記判定トリガを受信したタイミングをキーとして、前記記録媒体に保持された判定トリガを検索し、前記タイミングに視覚刺激を提示していた機器を特定する、請求項１に記載の起動装置。
【請求項３】
前記所定以上の時間間隔は、１００ｍｓである、請求項１に記載の起動装置。
【請求項４】
前記点滅タイミング制御部は、前記複数の機器が視覚刺激を提示する時刻及び視覚刺激を提示する周期を保持しており、前記時刻及び周期に基づいて、前記複数の機器において、所定以上の時間間隔を有して視覚刺激を提示するように前記視覚刺激部を制御する、請求項１に記載の起動装置。
【請求項５】
前記起動判定部は、前記視覚刺激の提示タイミングを起点として２００±５０ｍｓの区間における事象関連電位の値を前記Ｐ２００成分の値として、前記所定の閾値と比較する、請求項１に記載の起動装置。
【請求項６】
前記起動判定部は、前記視覚刺激の提示タイミングを起点として２００±５０ｍｓの区間における事象関連電位の極大値、最大値、区間平均値のいずれかを前記Ｐ２００成分の値として、前記所定の閾値と比較する、請求項１に記載の起動装置。
【手続補正書】
【提出日】平成22年10月7日(2010.10.7)
【手続補正１】
【補正対象書類名】明細書
【補正対象項目名】発明の名称
【補正方法】変更
【補正の内容】
【発明の名称】ＥＬ表示装置
【手続補正２】
【補正対象書類名】特許請求の範囲
【補正対象項目名】全文
【補正方法】変更
【補正の内容】
【特許請求の範囲】
【請求項１】
第１のガラス基板と、
前記第１のガラス基板と対向する第２のガラス基板と、
前記第１のガラス基板と前記第２のガラス基板とに挟まれた、薄膜トランジスタ及び前記薄膜トランジスタに電気的に接続されたＥＬ素子と、
前記第１のガラス基板と前記第２のガラス基板との間の接着剤と、を有し、
前記接着剤は、前記ＥＬ素子を挟んで離間する前記第１のガラス基板と前記第２のガラス基板とを貼り合わせ、
前記第１のガラス基板の前記ＥＬ素子側とは反対側の面及び側面、前記接着剤の側面、並びに前記第２のガラス基板の前記ＥＬ素子側とは反対側の面及び側面は、ステンレス材でなるフレーム材で覆われ、
前記ＥＬ素子からの発光を取り出す領域には、前記フレーム材は設けられていないことを特徴とするＥＬ表示装置。
【請求項２】
第１のガラス基板と、
前記第１のガラス基板と対向し、アルミニウム板またはステンレス板であるカバー材と、
前記第１のガラス基板と前記カバー材とに挟まれた、薄膜トランジスタ及び前記薄膜トランジスタに電気的に接続されたＥＬ素子と、
前記第１のガラス基板と前記カバー材との間の接着剤と、を有し、
前記接着剤は、前記ＥＬ素子を挟んで離間する前記第１のガラス基板と前記カバー材とを貼り合わせ、
前記第１のガラス基板の前記ＥＬ素子側とは反対側の面及び側面、前記接着剤の側面、並びに前記カバー材の前記ＥＬ素子側とは反対側の面及び側面は、ステンレス材でなるフレーム材で覆われ、
前記ＥＬ素子からの発光を取り出す領域には、前記フレーム材は設けられていないことを特徴とするＥＬ表示装置。
【請求項３】
請求項１において、断面において、前記ＥＬ素子は、前記第１のガラス基板、前記第２のガラス基板及び前記フレーム材により４辺を囲まれており、前記第１のガラス基板は底辺、前記第２のガラス基板は上辺、前記フレーム材は底辺と上辺の間の辺を担っていることを特徴とするＥＬ表示装置。
【請求項４】
請求項２において、断面において、前記ＥＬ素子は、前記第１のガラス基板、前記カバー材及び前記フレーム材により４辺を囲まれており、前記第１のガラス基板は底辺、前記カバー材は上辺、前記フレーム材は底辺と上辺の間の辺を担っていることを特徴とするＥＬ表示装置。
【請求項５】
請求項１乃至４のいずれか一において、前記第１のガラス基板には駆動回路が設けられていることを特徴とするＥＬ表示装置。
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
入力端子と出力端子を有し、該入力端子が電源電圧を受け取るよう接続可能であり、かつ負荷が該出力端子間に接続可能である電源回路であって、出力電圧を該出力端子間に接続された該負荷の両端間に印加するべく該出力端子間に供給するよう接続された電源回路と；
電源回路と該負荷との間に接続され、かつ該負荷からフィードバック信号を受け取り、一連の電圧値の中で最も低い電圧値のフィードバック信号を選択して、該電源回路がそれに応動する単一のフィードバック電圧を供給するよう接続されたフィードバックセレクタ回路と；
を含む回路。
【請求項２】
前記負荷が電圧制限要素からなる請求項１に記載の回路。
【請求項３】
前記電圧制限要素が発光ダイオードからなる請求項２に記載の回路。
【請求項４】
前記フィードバックセレクタ回路が、前記負荷から前記電源回路の単一のフィードバック端子に接続されたダイオードを介して一連の電圧値のフィードバック信号を受け取るよう接続された請求項１に記載の回路。
【請求項５】
前記電源回路がブーストコンバータである請求項１に記載の回路。
【請求項６】
前記負荷が該負荷に固有の負荷電流を流すよう接続された請求項１に記載の回路。
【請求項７】
前記負荷が、該負荷を流れる負荷電流をスイッチングするよう接続されたスイッチを備える請求項６に記載の回路。
【請求項８】
前記スイッチが前記電源回路とは独立にスイッチング動作するよう接続された請求項７に記載の回路。
【請求項９】
前記負荷が前記スイッチに接続された電流源を備える請求項７に記載の回路。
【請求項１０】
前記電源回路がフライバックコンバータである請求項１に記載の回路。
【請求項１１】
前記負荷が、該負荷を流れる負荷電流をスイッチングするよう接続されたスイッチを備える請求項１０に記載の回路。
【請求項１２】
前記負荷が前記スイッチに接続された電流源を備える請求項１１に記載の回路。
【請求項１３】
前記スイッチが前記電源回路とは独立にスイッチング動作するよう接続された請求項１１に記載の回路。
【請求項１４】
前記電圧制限要素は互いに接続された発光ダイオードのストリングを含む、請求項２に記載の回路。
【請求項１５】
前記電圧制限要素は互いに接続された発光ダイオードの並列ストリングを含む、請求項２に記載の回路。
【請求項１６】
前記電流源は、シャントレギュレータと定電流シンクとして構成された電流検出抵抗器とを含む、請求項９に記載の回路。
【請求項１７】
前記スイッチは、該出力端子のうちの１つに接続された抵抗器（２０５）から動作のための電流が供給される、請求項７に記載の回路。
【請求項１８】
前記スイッチは前記負荷の電流をゼロに減少させるように接続される、請求項７に記載の回路。
【請求項１９】
請求項１〜１８のいずれか１項に記載の回路を備えるＬＣＤ装置。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
ＶＯＩＣＥ  ＯＶＥＲ  ＩＮＴＥＲＮＥＴ  ＰＲＯＴＯＣＯＬ（ＶＯＩＰ）電話機であって、
ネットワークインタフェイスと、
前記ネットワークインタフェイスと通信し、該ＶＯＩＰ電話機のオペレーションを制御するようになっている制御モジュールであって、Ｎ個（Ｎは１より大きい整数）のネットワーク機器を同一の期間に選択するようになっている該制御モジュールと、
前記制御モジュールと通信するようになっているコーダ／デコーダモジュールと、
オーディオ信号を前記コーダ／デコーダモジュールに出力するようになっているマイクロフォンと、
オーディオ信号を前記コーダ／デコーダモジュールから受信するようになっているオーディオ出力デバイスと、
ユーザ入力を受け取るようになっている入力／出力インタフェイスと、
を備え、
前記制御モジュール及び前記ネットワークインタフェイスが、前記ユーザ入力を、前記Ｎ個のネットワーク機器へのアドレスコマンドを含むパケットとしてマルチキャスト方式で送信して該Ｎ個のネットワーク機器の動作パラメータを調整するようになっている、
ＶＯＩＰ電話機。
【請求項２】
前記ネットワークインタフェイスが、無線ネットワークインタフェイスを含む、請求項１記載のＶＯＩＰ電話機。
【請求項３】
前記ネットワークインタフェイスが、有線ネットワークインタフェイスを含む、請求項１記載のＶＯＩＰ電話機。
【請求項４】
前記Ｎ個のネットワーク機器が、無線ネットワークインタフェイスを含む、請求項１記載のＶＯＩＰ電話機。
【請求項５】
前記Ｎ個のネットワーク機器が、有線ネットワークインタフェイスを含む、請求項１記載のＶＯＩＰ電話機。
【請求項６】
請求項２記載のＶＯＩＰ電話機と、
前記Ｎ個のネットワーク機器と、
を備え、
前記Ｎ個のネットワーク機器が無線機器であり、インフラストラクチャモード及びピア・ツー・ピアモードのうち少なくとも一つを用いて前記ＶＯＩＰ電話機と通信するようになっている、
システム。
【請求項７】
請求項３記載のＶＯＩＰ電話機と、
前記Ｎ個のネットワーク機器と、
を備え、
前記Ｎ個のネットワーク機器が、前記ＶＯＩＰ電話機と通信するようになっている有線ネットワーク機器である、
システム。
【請求項８】
請求項３記載のＶＯＩＰ電話機と、
前記有線ネットワークインタフェイスと通信するようになっているルータと、
前記ＶＯＩＰ電話機と、前記ルータを介して通信するようになっている有線ネットワーク機器と、
を備える、システム
【請求項９】
前記Ｎ個のネットワーク機器は、遠隔ネットワークに設けられている、請求項１記載のＶＯＩＰ電話機。
【請求項１０】
請求項１記載のＶＯＩＰ電話機と、
前記Ｎ個のネットワーク機器と、
を備え、
前記Ｎ個のネットワーク機器が、サーモスタット、オーディオシステム、照明、及び窓用のブラインドのうち少なくとも一つを制御するようになっている、
システム。
【請求項１１】
前記ＶＯＩＰ電話機が、前記動作パラメータを変更するための前記ユーザ入力を受け取るようになっているキーパッド、タッチパッド、及びディスプレイのうち少なくとも一つを備える、請求項１記載のＶＯＩＰ電話機。
【請求項１２】
前記Ｎ個のネットワーク機器が、温度設定値調停器を更に備え、
前記温度設定値調停器は、温度設定値が第１の所定の期間において受信されていない場合に設定値プログラムに基づく温度設定値を選択し、一つの温度設定値が第２の所定の期間において受信されている場合には単一の温度設定値を選択し、一より多い温度設定値が第３の所定の期間において受信されている場合には複数の温度設定値の関数を選択する、
請求項１０記載のシステム
【請求項１３】
請求項１記載のＶＯＩＰ電話機と、
前記ＶＯＩＰ電話機と通信するようになっているルータと、
を備え、
前記ルータが、前記マイクロフォンに入力される前記オーディオ信号に対して音声認識を実行する音声認識モジュールを有しており、前記音声認識の結果に基づいて前記Ｎ個のネットワーク機器へのコマンドを発生するようになっている、
システム。
【請求項１４】
前記制御モジュールが、前記Ｎ個のネットワーク機器を同時に選択するようになっている、請求項１に記載のＶＯＩＰ電話機。
【請求項１５】
前記制御モジュールが、前記アドレスコマンドを送信して、同一の方法及び同時のうち少なくとも一方で、同一のパラメータを調整するよう、前記Ｎ個のネットワーク機器に指示するようになっている、請求項１に記載のＶＯＩＰ電話機。
【請求項１６】
前記制御モジュールが、前記アドレスコマンドを送信して、同一の方法及び同時のうち少なくとも一方で、照明及び窓用のブラインドのうち少なくとも一方を調整するよう、前記Ｎ個のネットワーク機器に指示するようになっている、請求項１に記載のＶＯＩＰ電話機。
【請求項１７】
前記制御モジュールが、利用可能なネットワーク機器の選択可能なリストを有するグラフィカルユーザインタフェイスを提供するようになっており、
前記制御モジュールが、前記ユーザ入力に基づいて前記Ｎ個のネットワーク機器を選択するようになっており、
前記制御モジュールが、前記Ｎ個のネットワーク機器の前記選択に基づいて、利用可能な機能及び動作パラメータのリストを提供するようになっており、
前記制御モジュールが、遠隔制御インタフェイス、及び、前記Ｎ個のネットワーク機器に固有のタッチパッド画面のうち少なくとも一方を提供するようになっている、
請求項１に記載のＶＯＩＰ電話機。